(57)【要約】【課題】  開封状態で複数段の積み上げ陳列に耐えうる強度を有し、且つ成形加工が容易で安価に提供可能な梱包用兼陳列用収納箱を提供する【解決手段】  箱体に形成され、内部に頒布物を梱包するとともに、開封後は上下に積み重ねて陳列展示するための梱包用兼陳列用収納箱であって、上記箱体の一対の側面形成片に連設して折り曲げられ、上記側面形成片に重なり合う補強用側面片を有する【選択図】  図５
0003134204.tif 000002
【実用新案登録請求の範囲】
【請求項１】
箱体に形成され、内部に頒布物を梱包するとともに、開封状態で上下に積み重ねて陳列展示するための梱包用兼陳列用収納箱であって、
上記箱体の一対の側面形成片に連設して折り曲げられ、上記側面形成片に重なり合う補強用側面片を有することを特徴とする梱包用兼陳列用収納箱。
【請求項２】
上記補強用側面片が上記一対の側面形成片に２枚ずつ連設されていることを特徴とする請求項１記載の梱包用兼陳列用収納箱。
【請求項３】
上記箱体は略直方体に形成され、上面形成片、底面形成片及び側面形成片を有し、
上記補強用側面片は、上記箱体の幅方向側面形成片に連設されていることを特徴とする、請求項１〜３のいずれか１項に記載の梱包用兼陳列用収納箱。
【請求項４】
上記箱体の長さ方向側面形成片の一方は、略Ｕ字型に切りこまれた一方側面内片に、一方側面外片が接着されて形成され、
上記一方側面外片は高さ方向上部寄りに、幅方向に沿って切取り線を有し、
上記箱体上面形成片は、長さ方向略中央部に見出し形成部と、長さ方向略中央部に幅方向に沿って見出し用折り筋とを有し、
上記箱体開封時は、上記一方側面外片の上記切取り線よりも下部を上記切取り線に沿って切除した後、上記一方側面内片との接着を剥離して上方に持ち上げるとともに、上記見出し用折り筋を介して上記上面形成片を内方に折り曲げ、上記上面形成片の内面と一方側面外片の内面が、他方の長さ方向側面形成片の内面に重ねられることで見出し部が形成され、長さ方向側面の一方と上面にかけてが一体的に開口されることを特徴とする、請求項１〜４のいずれか１項に記載の梱包用兼陳列用収納箱
【請求項５】
上記箱体は、一枚の平板を切り起こされて形成されていることを特徴とする請求項１〜５のいずれか１項に記載の梱包用兼陳列用収納箱。
【請求項６】
上記箱体は、ダンボール紙により形成されていることを特徴とする請求項１〜６のいずれか１項に記載の梱包用兼陳列用収納箱。
【考案の詳細な説明】
【技術分野】
【０００１】
本考案は梱包用兼陳列用収納箱に係り、特に積み上げ陳列が可能な梱包用兼陳列用収納箱に関する。
【背景技術】
【０００２】
フリー冊子、雑誌及びカタログ等の頒布物は、消費者が自由に入手できるよう、店頭等に陳列される。
陳列方法としては、上記頒布物を、梱包搬送されてきた箱から取り出し、陳列棚等に積み上げるか、若しくは収納物を入れたままで箱上部を開放し、箱ごと積み上げ陳列する形態が一般的である。
【０００３】
特に、売れ行きが良い雑誌及びフリー冊子等の場合は、陳列棚等に並べても、早急に消費され、何度も補充する必要が生じるため、非常に手間がかかることから、箱を開封した状態で積み上げ陳列する方法が、より効率的である。
【０００４】
しかし、箱を開封した状態で積み上げ陳列する場合、収納物の重量により、下段部の箱が破損したり、箱が変形して崩落する等の恐れがあった。
【０００５】
開封状態で積み上げ陳列が可能な収納箱として、実登３０４６９５０号のようなものが提案されている。
図８に示した通り、上記の実用新案登録に係る収納箱８０は、ダンボール紙を使用し、略直方体で形成され、上部胴板８１と幅方向側面胴板８２、長さ方向側面胴板８３と上記各胴板の対向面胴板（図示せず）から形成されている。
幅方向側面胴板８２と上部胴板８１及び上記幅方向側面胴板８２の対向面胴板にかけて、開口用の切取り線８５が設けられている。
尚、８４は上記収納箱組み立て時の接着用重ねしろ８４を示している。
図８、９に示すとおり、上記収納箱８０は、上記切取り線８５に沿って、上記幅方向側面胴板８２、上部胴板８１、及び上記幅方向側面胴板８２の対向面胴板に掛けて切り離すことで、開口部９０が形成される。
上記上部胴板８１の長さ方向両端には、上記開口部９０が形成された後、受け部８６、８７、８８、８９がそれぞれ形成される。尚、仕切り板８５は収納物の仕切り用である。
【０００６】
上記構成により、収納物を収納箱８０に収納したまま、開口部９０を形成することで、そのまま陳列展示が可能であり、且つ、受け部８６〜８９により、上部胴板８１の四隅部が強化されるため、上方向からの荷重に対して強度を有し、上下方向に積み重ね陳列を可能としたものである。
【０００７】
上記考案に係る収納箱は、受け部を形成することで、上下方向の荷重に耐えうる構成となっているが、長さ方向側面胴板８３とその対向面９１は、それぞれダンボール紙一枚のみで形成されているため、収納物が比較的軽量である場合は問題ないが、冊子やカタログ等といった頒布物の場合は、荷重により収納箱が破損・変形する恐れがあり、陳列できる量が限定されるという問題があった。
【０００８】
また、上記幅方向側面胴板に別途補強板を貼付する等して補強する場合、別途加工コストがかかり、収納箱の安価な供給が困難となるという問題も有していた。
【考案の開示】
【考案が解決しようとする課題】
【０００９】
そこで本考案の課題は、開封状態で複数段の積み上げ陳列に耐えうる強度を有し、且つ成形加工が容易で安価に提供可能な梱包用兼陳列用収納箱を提供することにある。  
【課題を解決するための手段】
【００１０】
上記課題を解決するために、本考案に係る梱包用兼陳列用収納箱は、箱体に形成され、内部に頒布物を梱包するとともに、開封状態で上下に積み重ねて陳列展示するための梱包用兼陳列用収納箱であって、上記箱体の一対の側面形成片に連設して折り曲げられ、上記側面形成片に重なり合う補強用側面片を有することを特徴とする。
【００１１】
すなわち、本考案に係る上記梱包用兼陳列用収納箱は、一対の側面形成片の各々に連設された補強用側面片によって、上方向からの荷重を、側面形成片と補強用側面片で分散支持されるよう構成されている。
【００１２】
また、本考案に係る上記梱包用兼陳列用収納箱にあっては、上記補強用側面片が上記一対の側面形成片に２枚ずつ連設されていることを特徴とする。
【００１３】
すなわち、本考案に係る上記梱包用兼陳列用収納箱は、上方向からの荷重を、側面形成片と２枚の補強用側面片で分散支持されるよう構成されている。
【００１４】
また、本考案に係る上記梱包用兼陳列用収納箱にあっては、上記箱体は略直方体に形成され、上面形成片、底面形成片及び側面形成片を有し、上記補強用側面片は、上記箱体の幅方向側面形成片に連設されていることを特徴とする。
【００１５】
すなわち、本考案に係る上記梱包用兼陳列用収納箱は、上方向からの荷重を、幅方向側面形成片と補強用側面片で分散支持されるよう構成されている。
【００１６】
また、本考案に係る上記梱包用兼陳列用収納箱にあっては、上記箱体の長さ方向側面形成片の一方は、略Ｕ字型に切りこまれた一方側面内片に、一方側面外片が接着されることで形成され、上記一方側面外片は高さ方向上部寄りに、幅方向に沿った切取り線を有し、上記箱体上面形成片は、長さ方向略中央部に見出し形成部と、長さ方向略中央部に幅方向に沿って見出し用折り筋とを有し、上記箱体開封時は、上記一方側面外片のうち上記切取り線よりも下部を上記切取り線に沿って切除した後、上記一方側面内片との接着を剥離して上方に持ち上げるとともに、上記見出し用折り筋を介して上記上面形成片を内方に折り曲げ、上記上面形成片の内面と一方側面外片の内面が、他方の長さ方向側面形成片の内面に重ねられることで見出し部が形成され、長さ方向側面の一方と上面にかけて一体的に開口されることを特徴とする。
【００１７】
すなわち、本考案に係る上記梱包用兼陳列用収納箱は、長さ方向側面形成片の一方と上面とが一体的に開口されるため、積み重ねた状態でも収納物を取り出し易い構成となっている。
【００１８】
また、本考案に係る上記梱包用兼陳列用収納箱にあっては、上記箱体は、一枚の平板を切り起こされて形成されていることを特徴とする。
【００１９】
すなわち、平板を所定の手順で折り曲げることで、上記梱包用兼陳列用収納箱が形成できる構成となっている。
【００２０】
また、本考案に係る上記梱包用兼陳列用収納箱にあっては、上記箱体は、ダンボール紙により形成されていることを特徴とする。
【考案の効果】
【００２１】
請求項１記載の考案に係る梱包用兼陳列用収納箱は、箱体に形成され、内部に頒布物を梱包するとともに、開封状態で上下に積み重ねて陳列展示するための梱包用兼陳列用収納箱であって、上記箱体の一対の側面形成片に連設して折り曲げられ、上記側面形成片に重なり合う補強用側面片を有することから、箱体を積み上げても、上方向からの荷重が上記補強用側面片と上記側面形成片に分散され、積み上げによる荷重負荷が軽くなることで、複数段の積み上げ陳列にも耐えうる強度を確保できる梱包用兼陳列用収納箱を提供できる。
【００２２】
請求項２記載の考案に係る梱包用兼陳列用収納箱は、上記補強用側面片が上記一対の側面形成片に２枚ずつ連設されているとともに、請求項３記載の考案に係る梱包用兼陳列用収納箱は、上記箱体は略直方体に形成され、上面形成片、底面形成片及び側面形成片を有し、上記補強用側面片は、上記箱体の幅方向側面形成片に連設されていることから、箱体を積み上げても、上方向からの荷重が上記２枚の補強用側面片と上記側面形成片に等分され、積み上げによる荷重負荷がより軽くなることで、複数段の積み上げ陳列にも耐えうる強度を確保できる梱包用兼陳列用収納箱を提供できる。
【００２３】
請求項４記載の考案に係る梱包用兼陳列用収納箱は、上記箱体の幅方向側面形成片の一方は、略Ｕ字型に切りこまれた一方側面内片と、一方側面外片が接着されることで形成され、上記一方側面外片は、上記箱体の長さ方向側面形成片の一方は、略Ｕ字型に切りこまれた一方側面内片に、一方側面外片が接着されることで形成され、上記一方側面外片は高さ方向上部寄りに、幅方向に沿った切取り線を有し、上記箱体上面形成片は、長さ方向略中央部に見出し形成部と、長さ方向略中央部に幅方向に沿って見出し用折り筋とを有し、上記箱体開封時は、上記一方側面外片のうち上記切取り線よりも下部を上記切取り線に沿って切除した後、上記一方側面内片との接着を剥離して上方に持ち上げるとともに、上記見出し用折り筋にて上記上面形成片を内方に折り曲げ、上記上面形成片の内面と一方側面外片の内面が、長さ方向側面形成片の他方の内面に重ねられることで見出し部が形成され、長さ方向側面の一方と上面にかけて一体的に開口されることから、内部の収納物の残量視認が容易で、且つ積み重ねた状態でも収納物を取り出し易くなり、また見出し部が形成されることによる宣伝広告効果も期待できる梱包用兼陳列用収納箱を提供できる。
【００２４】
請求項５記載の考案に係る梱包用兼陳列用収納箱は、上記箱体は、一枚の平板を切り起こされて形成されていることから、箱体を形成後に別途補強用側面片を貼付する等の加工が不要であり、より安価な加工コストで梱包用兼陳列用収納箱を提供できる。
【００２５】
請求項６記載の考案に係る梱包用兼陳列用収納箱は、上記箱体は、ダンボール紙により形成されていることから、軽量で且つ安価な梱包用兼陳列用収納箱を提供することができる。
【考案を実施するための最良の形態】
【００２６】
以下、図面を用いて本考案の実施の形態について説明する。
図１〜７に示したとおり、本実施の形態に係る梱包用兼陳列用収納箱１０は、ダンボール紙の平板４０から組み立てられた略直方体の箱体から形成され、上面形成片１１、底面形成片１２及び幅方向側面形成片１３、１５、長さ方向側面形成片１４、１６とを有する。
図２、６に示したとおり、上記各側面形成片のうち、箱体の幅方向側面形成片１３の高さ方向端部１７ａに連設された補強用側面片１３ａと、上記補強用側面片１３ａの幅方向端部１７ｂに連設された補強用側面片１３ｂとを有し、図２に示したとおり、上記箱体の幅方向側面形成片１５は高さ方向端部１８ａに連設した補強用側面片１５ａと、上記補強用側面片１５ａの幅方向端部１８ｂで連設する補強用側面片１５ｂとを有する。
また図３に示したとおり、上記梱包用兼陳列用収納箱１０の、長さ方向側面形成片１４は、略Ｕ字型に切りこまれた一方側面内片１４ａと、一方側面外片１４ｂが互いに接着されることで形成され、上記一方側面外片１４ｂは、上記箱体の上面形成片１１の長さ方向端部１９に連設されている。
また、上記一方側面外片１４ｂは幅方向に沿って切取り線２０を有している。
また上記上面形成片１１は、長さ方向略中央部に見出し形成部２１と、長さ方向略中央部に幅方向に沿って見出し用折り筋２２とを有する。
【実施例】
【００２７】
本考案に係る本考案に係る梱包用兼陳列用収納箱１０を開封後、上下に積み重ねて使用する場合の実施例について、図面を用いて説明する。
上記梱包用兼陳列用収納箱１０は、図７に示すとおり、１枚のダンボール紙の平板４０を切り起こして形成されている。
上記平板４０は展開状態において一方側面外片形成部４１、上面形成片形成部４２、長さ方向側面形成片形成部４３、底面形成片形成部４４が幅方向に沿って連設されている。
上記長さ方向側面形成片形成部４３には、上面形成片形成部４２との連設方向と直交する方向に、幅方向側面形成片形成部４７、一方側面内片形成部４９、幅方向側面形成片形成部５３が長さ方向に沿って連設されている。
また、上記幅方向側面形成片形成部４７には、上記長さ方向側面形成片形成部４３との連設方向と直交する方向に底面形成片形成部４８、補強用側面片形成部４６、補強用側面片形成部４５がそれぞれ幅方向に沿って連設されている。
また、幅方向側面形成片形成部５３には、上記長さ方向側面形成片形成部４３との連設方向と直交する方向に底面形成片形成部５４、補強用側面片形成部５２、補強用側面片形成部５１がそれぞれ幅方向に沿って連設されている。
また、一方側面内片形成部４９には上記長さ方向側面形成片形成部４３との連設方向と直交する方向に底面形成片形成部５０が幅方向に沿って連設されている。
また、上記補強用側面片形成部４６には、上記幅方向側面形成片形成部４７との連設方向に直交する方向に補助強化片７７が長さ方向に沿って連設され、上記補強用側面片形成部５２には、上記幅方向側面形成片形成部５３との連設方向に直交する方向に補助強化片７６が長さ方向に沿って連設されている。
また、上記上面形成片形成部４２には、見出し形成用切り込み５５が設けられている。
【００２８】
上記展開構成に基づき、上記梱包用兼陳列用収納箱１０の組み立て手順について、図１、２、６及び７を用いて説明説明する。
図７及び図１、２、６、に示すとおり、上記梱包用兼陳列用収納箱１０は、折り筋７１、７３、７５を介して内方に折り曲げられ、長さ方向側面形成片形成部４３の連設対向端７８と幅方向側面形成片形成部５３の連設対向端７９が互いに接着されることで、長さ方向側面形成片１６、幅方向側面形成片１５、一方側面内片１４ｂ、幅方向側面形成片１３が形成される。
また、折り筋６２、６６、６７、７０を介して、底面形成片形成部４４、４８、５０、５４が内方に折り曲げられ、互いに係止させることで、底面形成片１２が形成される。
また、折り筋７２を介して、補助強化片７７と補強用側面片形成部４６が内方に折り曲げられ、互いの内面どおしが重ね合わされた後、折り筋６４を介して、補強用側面片形成部４５と補強用側面片形成部４６が内方に折り曲げられ、互いの内面どおしが互いに重ね合わせられ、更に折り筋６５を介して、補強用側面片形成部４６と幅方向側面形成片形成部４７が内方に折り曲げられ、補強用側面片形成部４５の外面と上記幅方向側面形成片形成部４７の内面が重ね合わされ、係止片５６、５６、５６が係止部５７、５７に係止されることで、幅方向側面形成片１３と補強用側面片１３ａ、１３ｂがそれぞれ形成される。
また、折り筋７４を介して、補助強化片７６と補強用側面片形成部５２が内方に折り曲げられ、互いの内面どおしが互いに重ね合わされた後、折り筋６８を介して、補強用側面片形成部５１と補強用側面片形成部５２が内方に折り曲げられ、互いの内面どおしが互いに重ね合わされ、更に折り筋６９を介して、補強用側面片形成部５２と幅方向形成片形成部５３が内方に折り曲げられ、上記補強用側面片形成部５１の外面と幅方向形成片形成部５３の内面が重ね合わされ、係止片５８、５８、５８が係止部５９、５９に係止されることで、幅方向側面形成片１５と補強用側面片１５ａ、１５ｂがそれぞれ形成される。
また、折り筋６０、６２をそれぞれ介して、一方側面外片形成部４１と、一方側面内片形成部４９が内方に折り曲げられ、一方側面外片形成部４１の内面と上記一方側面内片形成部４９の外面が互いに接着されることで、幅方向側面形成片１４が形成され、本考案に係る梱包用兼陳列用収納箱１０が完成する。
【００２９】
次に、本考案にかかる梱包用兼陳列用収納箱１０を積み上げ陳列する際の作用について図１、３、４、５を用いて詳述する。
図３、４に示すとおり、梱包用兼陳列用収納箱１０の幅方向側面形成片１４の一方側面外片１４ｂを切取り線２０で一部切除した後、一方側面内片１４ａとの接着を剥離し、上面形成片１１と一体的に上方に持ち上げることで開放し、さらに見出し用折り筋２２を介して内方に折り曲げて内面を互いに重ね合わせ、切取り後の一方側面内片１４ａの端部を、幅方向側面形成片１３と長さ方向側面形成片１６間に挟みこむことで、上面形成片１１と幅方向側面形成片１４にかけて一体的に開口されるとともに、見出し形成部２１が立ち上がり、見出しが形成される。
上記の状態で梱包用兼陳列用収納箱１０を複数段重ねた場合、下部に位置する梱包用兼陳列用収納箱１０には、上部からの荷重負荷がかかるが、その荷重負荷は、幅方向側面形成片１３、補強用側面片１３ａ、１３ｂ、及び幅方向側面形成片１５と補強用側面片１５ａ、１５ｂに分散して支えられる。
上記のように従来２枚の側面版で支えられる負荷が２枚の側面板と４枚の補強用側面片により支えられる構成となることで荷重負荷が分散され、下部に位置する梱包用兼陳列用収納箱１０の破損、変形を防止することができる。
【００３０】
以上の通り、本考案によって、開封状態でも安全に複数段の積み上げ陳列が可能な強度を確保できる梱包用兼陳列用収納箱を提供できるとともに、別途の補強加工が不要であるため、安価で提供することが可能となる。
さらに、積み上げ陳列が可能であるため効率の良い陳列展示が可能となる。
【産業上の利用可能性】
【００３１】
本製品は頒布物を収納し、開封状態で陳列展示するための梱包用兼陳列用収納箱に適用することが可能である。  
【図面の簡単な説明】
【００３２】
【図１】図１は本考案にかかる梱包用兼陳列用収納箱の一実施の形態を示し、開封前の状態を示す斜視図である。
【図２】図２は図１における矢印Ａ−Ａの断面図である。
【図３】図３は上記一実施の形態における本考案にかかる梱包用兼陳列用収納箱の開封時の操作を示す斜視図である。
【図４】図４は上記一実施の形態における本考案にかかる梱包用兼陳列用収納箱の開封時の図３に続く操作を示す斜視図である。
【図５】図５は上記一実施の形態における本考案にかかる梱包用兼陳列用収納箱の開封後の状態を示す斜視図である。
【図６】図６は上記一実施の形態における本考案にかかる梱包用兼陳列用収納箱の補強用側面片の連設状態を示した斜視図である。
【図７】図７は上記一実施の形態における本考案にかかる梱包用兼陳列用収納箱の展開状態を示す平面図である。
【図８】図８は従来の梱包用兼陳列用収納箱の開封前の状態を示す斜視図である。
【図９】図９は従来の梱包用兼陳列用収納箱の開封後の状態を示す斜視図である。
【符号の説明】
【００３３】
１０  梱包用兼陳列用収納箱
１１  上面形成片
１２  底面形成片
１３  幅方向側面形成片
１３ａ  補強用側面片
１３ｂ  補強用側面片
１４  長さ方向側面形成片
１４ａ  一方側面内片
１４ｂ  一方側面外片
１５  幅方向側面形成片
１５ａ  補強用側面片
１５ｂ  補強用側面片
１６  長さ方向側面形成片
１７ａ  幅方向側面形成片１３の高さ方向端部
１７ｂ  補強用側面片１３ａの幅方向端部
１８ａ  幅方向側面形成片１５の高さ方向端部
１８ｂ  補強用側面片１５ａの幅方向端部
１９  上面形成片の長さ方向端部
２０  切取り線
２１  見出し形成部
２２  見出し用折り筋
４０  一枚のダンボール紙の平板
４１  一方側面外片形成部
４２  上面形成片形成部
４３  長さ方向側面形成片形成部
４４  底面形成片形成部
４５  補強用側面片形成部
４６  補強用側面片形成部
４７  幅方向側面形成片形成部
４８  底面形成片形成部
４９  一方側面内片形成部
５０  底面形成片形成部
５１  補強用側面片形成部
５２  補強用側面片形成部
５３  幅方向側面形成片形成部
５４  底面形成片形成部
５５  見出し形成用切り込み
５６  係止片
５７  係止部
５８  係止片
５９  係止部
６０  折り筋
６１  折り筋
６２  折り筋
６３  折り筋
６４  折り筋
６５  折り筋
６６  折り筋
６７  折り筋
６８  折り筋
６９  折り筋
７０  折り筋
７１  折り筋
７２  折り筋
７３  折り筋
７４  折り筋
７５  折り筋
７６  補助強化片
７７  補助強化片
７８  長さ方向側面形成片形成部４３の連設対向端
７９  長さ方向側面形成片形成部５３の連設対向端
【図１】
0003134204.tif 000003
【図２】
0003134204.tif 000004
【図３】
0003134204.tif 000005
【図４】
0003134204.tif 000006
【図５】
0003134204.tif 000007
【図６】
0003134204.tif 000008
【図７】
0003134204.tif 000009
【図８】
0003134204.tif 000010
【図９】
0003134204.tif 000011